(57)【要約】      （修正有）【課題】ユニットを引き出したときにキャスタローラが点状ブロック及び線状ブロックに衝突しない自動取引装置を提供する。【解決手段】床面上に設置され、底部にキャスタ８を具備したユニット２を引出し可能に備えた自動取引装置において、キャスタ８のキャスタローラ８ａの位置をユニット２の引出方向に直角な方向に調整可能なローラ位置調整手段を備えた。キャスタ８が固定されたブラケット１２にローラ調整用長孔１０ｃを設け、ブラケット１２はローラ調整用長孔１０ｃを介してユニット２に固定される。【選択図】図３
2015169966.tif 000002
【特許請求の範囲】
【請求項１】
床面上に設置され、底部にキャスタを具備したユニットを引出し可能に備えた自動取引装置において、
前記キャスタのキャスタローラの位置を前記ユニットの引出方向に直角な方向に調整可能なローラ位置調整手段を備えたことを特徴とする自動取引装置。
【請求項２】
前記ローラ位置調整手段は、前記キャスタが固定されたブラケットからなり、
前記ブラケットは前記ユニットに対して、前記ユニットの引出方向に直角な方向に移動可能に設けたことを特徴とする請求項１記載の自動取引装置。
【請求項３】
前記ブラケットは前記ユニットの引出方向に直角な方向に伸びたローラ調整用長孔を備え、前記ローラ調整用長孔を介して前記ユニットに固定する固定ネジを有することを特徴とする請求項２記載の自動取引装置。
【請求項４】
前記ローラ位置調整手段は、前記ユニットに固定された前記キャスタと、
前記キャスタローラを収納したローラブラケットを有し、
前記キャスタは、前記ローラブラケットを前記ユニットの引出方向に直角な方向に移動可能に設けたことを特徴とする請求項１記載の自動取引装置。
【請求項５】
前記キャスタは、前記ユニットの引出方向に直角な方向にローラ調整用長孔を備え、前記ローラブラケットを、前記ローラ調整用長孔を介して前記キャスタに固定する固定ネジを有することを特徴とする請求項４記載の自動取引装置。
【請求項６】
前記ユニットの引出方向に直角な方向の位置の調整は、前記キャスタローラが視覚障害者誘導用ブロックに衝突しない位置への調整であることを特徴とする請求項１乃至請求項５いずれか一記載の自動取引装置。
【請求項７】
前記キャスタの上部は、左右に傾斜部を備えた台形となし、該傾斜部に当接させた左右の固定部にて前記キャスタを固定するようにしたことを特徴とする請求項１乃至請求項５いずれか一記載の自動取引装置。
【請求項８】
前記固定部は、前記ユニットの引出方向に直角な方向の長孔を備え、前記長孔にて前記固定部の位置を調整して固定ネジにて前記ユニットに固定するようにしたことを特徴とする請求項１乃至請求項５いずれか一記載の自動取引装置。
【発明の詳細な説明】
【技術分野】
【０００１】
本発明は、現金自動預払機などの自動取引装置において、自動取引装置から引き出されるユニットの底部に備えるキャスタに関するものである。
【背景技術】
【０００２】
一般に、現金自動預払機などの自動取引装置では、装置内部の現金処理部などのユニットを引き出して現金収納庫を定期的に交換するため、自動取引装置の扉を開けてユニットを引出す作業が行われる。このユニットの引出しを容易にするために、ユニットの側面にスライドレールを備えると共に、引出す側の底部にはキャスタが備えられている。
そして、特開２０１３−２４２７９４号公報（特許文献１）には、自動取引装置を設置する床面の傾斜などの設置環境及び部品の公差によるキャスタの上下方向の位置のばらつきを補正するため、キャスタの上下方向の位置を床面に合わせて調整する構造を設けた技術が開示されている。
【０００３】
ところが、近年、身体障害者のためのバリアフリーの環境づくりの一環として、自動取引装置において、視覚障害者のために顧客操作部等の近傍に各操作案内を点字で記載している。更に、視覚障害者を自動取引装置へ誘導するために、視覚障害者誘導用ブロックが自動取引装置の前方の床面上に配置されるようになってきている。視覚障害者誘導用ブロックはいわゆる点字ブロックとも言われ、線状ブロック及び点状ブロックがある。
【先行技術文献】
【特許文献】
【０００４】
【特許文献１】特開２０１３−２４２７９４号公報
【発明の概要】
【発明が解決しようとする課題】
【０００５】
しかしながら、自動取引装置の前面の床面上に点状ブロック及び線状ブロックが配置されると、上記従来の自動取引装置では、キャスタの上下方向の位置を調整したとしても、ユニットを引き出したときにキャスタのキャスタローラが点状ブロック及び線状ブロックに衝突することがあった。そのため、キャスタローラ及びキャスタ、更にはスライドレールなどの部品が破損するという問題があった。
【課題を解決するための手段】
【０００６】
上記課題を解決するために本発明に関する自動取引装置は、床面上に設置され、底部にキャスタを具備したユニットを引出し可能に備えた自動取引装置において、前記キャスタのキャスタローラの位置を前記ユニットの引出方向に直角な方向に調整可能なローラ位置調整手段を備えたことを特徴とするものである。
【発明の効果】
【０００７】
本発明によれば、このような構成とすることにより、ユニットを自動取引装置から引出したときにキャスタのキャスタローラが点状ブロック及び線状ブロックに衝突し、キャスタローラ及びキャスタ、更にはスライドレールなどの部品が破損することを防止することができる。
【図面の簡単な説明】
【０００８】
【図１】第１の実施の形態に関する自動取引装置の構成を説明する外観図である。
【図２】第１の実施の形態に関する自動取引装置の構成を説明する外観図である。
【図３】第１の実施の形態に関する自動取引装置の前面下部を前方から見た説明図である。
【図４】第１の実施の形態に関する自動取引装置の前面下部を側方から見た説明図である。
【図５】第１の実施の形態に関する自動取引装置の前面下部の分解斜視図である。
【図６】第１の実施の形態に関する自動取引装置のキャスタローラ位置調整動作を示す説明図である。
【図７】第２の実施の形態に関する自動取引装置の前面下部を前方から見た説明図である。
【図８】第２の実施の形態に関する自動取引装置の前面下部を側方から見た説明図である。
【図９】第２の実施の形態に関する自動取引装置の前面下部の分解斜視図である。
【図１０】第２の実施の形態に関する自動取引装置のキャスタローラ位置調整動作を示す説明図である。
【発明を実施するための形態】
【０００９】
（第１の実施の形態）
以下に本発明の第１の実施の形態を説明する。各図面に共通な要素には同一の符号を付す。図１及び図２は第１の実施の形態に関する自動取引装置の構成を説明する外観図である。図１は自動取引装置１の前面扉６を開いた状態を示し、図２はその後ユニット２を引出した状態を示す。第１の実施の形態に関する自動取引装置１は、顧客が歩いて近付くことができるように、金融機関等の床面上に設置される。自動取引装置１は、顧客が操作するための操作誘導画面が表示される顧客操作部３、顧客が現金の投入及び取出しを行う接客口４、顧客がキャッシュカードを挿入するカード挿入口５を備え、顧客の操作により入出金などの自動取引が行えるようになっている。
【００１０】
そして、顧客操作部３、接客口４及びカード挿入口５の近傍には、視覚障害者の操作案内のために図示しない点字が設けられている。更に、自動取引装置１の前方の床面上には、視覚障害者を自動取引装置１に安全に誘導するための視覚障害者誘導用ブロックが配置されている。そのうち線状ブロック２０は並行した線状が突起になっていて移動の方向を示す。点状ブロック２１は格子状の点が突起となっていて注意喚起を促す。従って、自動取引装置１の前方の床面は、遠い方からまず線状ブロック２０が線状の突起を自動取引装置１へ向けて設けられる。これにより視覚障害者を自動取引装置１へ誘導する。そして、自動取引装置１の手前には点状ブロック２１が設けられ、自動取引装置１の前に着いたことを視覚障害者に知らせる。なお、視覚障害者誘導用ブロックはＪＩＳ  Ｔ９２５１により形状等が規定されている。ブロックの大きさは一辺３０ｃｍ以上、線状ブロック２０の線は４本以上、点状ブロックの点は５×５以上、線及び点の高さは５ｍｍ、等々である。
【００１１】
更に、第１の実施の形態に関する自動取引装置１は、現金処理部等のユニット２が引出し可能に内蔵されている。ユニット２には図示しない現金収納庫を有し、現金収納庫を交換する場合などにおいて、図２に示すように前面扉６を矢印Ａ方向に開いてユニット２を矢印Ｂ方向に容易に引出すことができる。そのため、ユニット２の側面にはスライドレール１４が備えられている。
【００１２】
図３は第１の実施の形態に関する自動取引装置の前面下部を前方から見た説明図であり、図４は第１の実施の形態に関する自動取引装置の前面下部を側方から見た説明図であり、図５は第１の実施の形態に関する自動取引装置の前面下部の分解斜視図である。
第１の実施の形態に関する自動取引装置１は、図３、図４及び図５に示したように、ユニット２の底部には、２個のキャスタローラ８ａを具備したキャスタ８が備えられている。図２に示すようにユニット２は、キャスタ８に支持されて自動取引装置１の前方へ引出し可能である。キャスタ８は点状ブロック２１を超えて、線状ブロック２０に到達することになる。なお、キャスタローラ８ａは１個であってもよいし、３個以上であってもよい。キャスタローラ８ａが複数の場合、その間隔は、ユニット２を引出した際に線状ブロック２０及び点状ブロック２１に衝突しないような間隔とするのがよい。そのような間隔に調整する方法は後述する。
【００１３】
ユニット２の底部には、ユニット２を支持するユニットベース２ｂが設けられる。ユニットベース２ｂの前方にはブラケット１２が固定される。ブラケット１２には、前方にキャスタ８及び固定部１１が固定される。
キャスタ８の上部には、図３に示す矢印Ｘ方向、即ち、ユニット２の引出方向Ｂに直角な方向に左右対称に傾斜させた傾斜部８−１が設けられている。これによりキャスタ８の上部は台形となる。この左右の傾斜部８−１にそれぞれ当接するようにキャスタ８を固定するための楔状の固定部１１が左右に２個設けられ、ユニット２の重量によるキャスタ８の負荷を分散させるようになっている。そして、キャスタ８及び２個の固定部１１がブラケット１２に固定ネジ９ａ及び９ｂにより取り付けられる。更に、このブラケット１２がユニットベース２ｂに固定ネジ９ｃにより取り付けられ、これらが筐体２ａに覆われた構成となっている。
【００１４】
キャスタ８には、上下方向の長孔１０ａが左右に２個設けられ、キャスタ８の上下方向の位置を調整して２個の固定ネジ９ａにてブラケット１２に固定する。固定部１１には、左右方向の長孔１０ｂが２個設けられ、固定部１１の左右方向の位置を調整して２個の固定ネジ９ｂにてブラケット１２に固定する。左右の固定部１１は、左右対称に２個設けられており、計４個の固定ネジ９ｂにて左右の固定部１１の間隔を調整して固定する。これにより、キャスタ８の高さを調整可能とする。
【００１５】
ローラ位置調整手段としてのブラケット１２には、ユニット２の引出方向Ｂに直角な方向に延びたローラ調整用長孔１０ｃが左右に２個設けられる。これによりブラケット１２は、固定部１１とキャスタ８を一体としてユニット２の引出方向Ｂに直角な方向に移動可能になる。即ち、キャスタローラ８ａは矢印Ｘ方向に移動可能となる。キャスタ８の矢印Ｘ方向の最適な位置が定まったら、ローラ調整用長孔１０ｃを介して２個の固定ネジ９ｃにてブラケット１２をユニットベース２ｂに固定する。これによりキャスタ８は左右方向、即ち矢印Ｘ方向に調整可能となる。なお、ユニットベース２ｂには、固定ネジ９ｃが取り付けられるネジ穴（９ｃ−１）が設けられている。
【００１６】
以上の構成により、第１の実施の形態に関する自動取引装置１では、自動取引装置１を床面上に設置する際に、ユニット２の底部に設けたキャスタ８の位置を調整する。図６は第１の実施の形態に関する自動取引装置のキャスタローラ位置調整動作を示す説明図である。この位置調整動作を前述の図１〜図６を用いて以下説明する。
【００１７】
まず、図１に示すように前面扉６を矢印Ａ方向に開き、図２に示すようにユニット２を矢印Ｂ方向に引き出す。この場合、キャスタローラ８ａが図３に示す破線ａ部のように線状ブロック２０及び点状ブロック２１に衝突する位置となっているとする。このときは、左右２個の固定ネジ９ｃを緩め、ブラケット１２をＸＬ方向、即ち、図中左方向にスライドさせる。勿論、図中右方向にスライドさせ線状ブロック２０及び点状ブロック２１と衝突しないようにしてもよい。
【００１８】
そして、キャスタローラ８ａが線状ブロック２０及び点状ブロック２１の隙間に入る位置、即ち、図６に示す破線ａ部の位置として、線状ブロック２０及び点状ブロック２１と衝突しないようにした後、緩めた左右２個の固定ネジ９ｃをローラ調整用長孔１０ｃを介して再び締めて固定する。
このとき、２個の固定ネジ９ａを緩めて長孔１０ａを用いてキャスタ８の上下方向の高さを調整する。その後、キャスタ８が最適な高さにおいて、２個の固定ネジ９ａを再び締めて固定する。同時に、４個の固定ネジ９ｂを緩めて４個の長孔１０ｂを用いて、２個の固定部１１の左右方向の位置を調整する。その後、前記固定ネジ９ｂを再び締めて固定する。
【００１９】
以上詳細に述べたように第１の実施の形態に関する自動取引装置１によれば、ユニット２の底部に設けたキャスタ８をユニット２の引出方向Ｂに直角な方向に調整可能なローラ位置調整手段を設けたので、ユニット２を自動取引装置１から引き出したときにキャスタローラ８ａが点状ブロック２１及び線状ブロック２０に衝突することを防止することができる。よって、キャスタローラ８ａ及びキャスタ８、更にはスライドレール１４などの部品の破損を防止することができる。
【００２０】
（第２の実施の形態）
図７は第２の実施の形態に関する自動取引装置の前面下部を前方から見た説明図であり、図８は第２の実施の形態に関する自動取引装置の前面下部を側方から見た説明図であり、図９は第２の実施の形態に関する自動取引装置の前面下部の分解斜視図である。第２の実施の形態に関する自動取引装置１の構成は、キャスタローラ８ａの位置を調整するための構造が第１の実施の形態に関する自動取引装置１と異なる。
【００２１】
その他の構成は、図１〜図５に示した前述の第１の実施の形態に関する自動取引装置１の構成と同様であるので、簡略化のためにその詳細な説明を省略する。
第２の実施の形態に関する自動取引装置１は、２個のキャスタローラ８ａを有するキャスタ２８の形状をユニット２の引出方向Ｂに直角な方向、即ち矢印Ｘ方向に長い長方形とした。そして、キャスタ２８はユニットベース２ｂに固定され、その中のキャスタローラ８ａの位置を左右に調整する構成となっている。即ち、キャスタ２８は、左右及び中央に設けた３個の上下方向の長孔１０ａ及び固定ネジ９ａを用いてユニットベース２ｂに固定される。このように、左右に長いキャスタ２８でユニット２の重量を支えるので、ユニット２の重量に耐えられる構造となっている。
【００２２】
キャスタ２８の上部には、矢印Ｘ方向、即ち、ユニット２の引出方向Ｂに直角な方向に左右対称に傾斜させた傾斜部２８−１が設けられている。これによりキャスタ２８の上部は台形となる。この左右の傾斜部２８−１にそれぞれ当接するようにキャスタ２８を固定するための楔状の固定部１１が左右に２個設けられ、ユニット２の重量によるキャスタ２８の負荷を分散させるようになっている。そして、キャスタ２８及び２個の固定部１１がユニットベース２ｂに固定ネジ９ａ及び９ｂにより取り付けられる。
【００２３】
ローラ位置調整手段としてのキャスタ２８は矢印Ｘ方向に長い長方形となし、矢印Ｘ方向にローラ調整用長孔１０ｄが形成される。ローラブラケット１８はこのローラ調整用長孔１０ｄに沿って矢印Ｘ方向に移動可能とする。即ち、キャスタ２８の中には、キャスタローラ８ａを収納したローラブラケット１８を２個配置し、ローラブラケット１８と共にキャスタローラ８ａをそれぞれ矢印Ｘ方向に独立してローラ調整用長孔１０ｄに沿ってスライド可能とする。これにより、キャスタ２８は矢印Ｘ方向に調整可能となる。左右２個のローラブラケット１８は、ローラ調整用長孔１０ｄを用いて固定ネジ９ｄ、９ｅにより固定される。このように、キャスタローラ８ａの位置が左右に長いローラ調整用長孔１０ｄの範囲で調整できるので、その調整範囲も広くなっている。
【００２４】
なお、ローラ調整用長孔１０ｄは１個ではなく、左右に分けて２個設けるようにしてもよい。また、ローラブラケット１８及びキャスタローラ８ａは１個であってもよいし、３個以上設ける構成としてもよい。ローラブラケット１８及びユニットベース２ｂには、固定ネジが取り付けられるネジ穴が設けられている。
【００２５】
以上の構成により、第２の実施の形態に関する自動取引装置１では、自動取引装置１を床面上に設置する際に、ローラブラケット１８を左右に移動することにより、キャスタローラ８ａの位置を調整する。図１０は第２の実施の形態に関する自動取引装置のキャスタローラ位置調整動作を示す説明図である。この調整の動作を図１、図２、図７〜図１０を用いて以下説明する。
【００２６】
まず、図１に示すように前面扉６を矢印Ａ方向に開き、図２に示すようにユニット２を矢印Ｂ方向に引き出す。この場合、キャスタローラ８ａが図７に示す破線ｂ部、破線ｃ部のように線状ブロック２０又は点状ブロック２１に衝突する位置となっているとする。このとき固定ネジ９ｄ、９ｅを緩め、左右のローラブラケット１８をそれぞれＸＬ方向、即ち、図中左方向にスライドさせ、衝突を避ける。勿論、図中右方向にスライドさせて線状ブロック２０及び点状ブロック２１との衝突を避けるようにしてもよい。
【００２７】
そして、キャスタローラ８ａが線状ブロック２０及び点状ブロック２１に衝突しない位置、即ち、図１０に示した位置とし、その後、緩めた固定ネジ９ｄ、９ｅを再び締めてキャスタ２８を固定する。
このとき、３個の固定ネジ９ａを緩めて長孔１０ａを用いてキャスタ２８の上下方向の位置を調整した後、３個の固定ネジ９ａを再び締めて固定する。そして、４個の固定ネジ９ｂを緩めて４個の長孔１０ｂを用いて２個の固定部１１の矢印Ｘ方向の位置を調整した後、前記固定ネジ９ｂを再び締めて固定する。
【００２８】
なお、キャスタローラ８ａの一つだけが線状ブロック２０及び点状ブロック２１に衝突する位置となっているときは、衝突する側のローラブラケット１８の固定ネジ９ｄ又は９ｅのみを緩めてローラブラケット１８の位置を調整する。その後、緩めた固定ネジ９ｄ又は９ｅを再び締めて固定するようにすればよい。
【００２９】
以上詳細に述べたように第２の実施の形態に関する自動取引装置１によれば、キャスタ２８は固定し、その中のキャスタローラ８ａの矢印Ｘ方向の位置を調整できるようにしたので、第１の実施の形態に関する自動取引装置１の効果に加え、ユニット２の重量に耐えられる構造とすることができる。そして、左右のキャスタローラ８ａの位置を独立して調整することができ、その調整範囲も広くすることができる。
【００３０】
なお、以上の実施の形態の説明では、現金自動預払機などの自動取引装置１の例を説明したが、装置本体内にユニットを備えこれを引出す装置であれば、本発明を適用することができる。
また、以上の実施の形態の説明では、前面側にユニット２を引出す場合、引出す方向に直角の方向にキャスタローラ８ａの位置を調整する例を説明したが、背面側或いは側面側にユニット２を引出す場合、キャスタローラ８ａを引出す方向に直角の方向の位置を調整する場合にも本発明を適用することができる。
【００３１】
また、以上の実施の形態の説明では、矢印Ｘ方向に調整可能な位置調整手段として、ローラ調整用長孔１０ｄにて矢印Ｘ方向の位置を調整して固定ネジ９ｄにて固定してキャスタローラ８ａの位置を調整する例を説明したが、キャスタローラ８ａを矢印Ｘ方向にスライドさせる駆動部を備え、この駆動部によりキャスタローラ８ａの矢印Ｘ方向の位置を調整するようにしてもよい。
【００３２】
また、以上の実施の形態の説明では、ローラ調整用長孔１０ｄを設けて矢印Ｘ方向の位置を調整して固定ネジ９ｄにて固定してキャスタローラ８ａの位置を調整する例を説明したが、角孔を設けて矢印Ｘ方向の位置を調整して固定ネジ９にて固定してキャスタローラ８ａの位置を調整するようにしてもよい。
【符号の説明】
【００３３】
１                自動取引装置
２                ユニット
８、２８          キャスタ
８ａ              キャスタローラ
９ｃ、９ｄ、９ｅ  固定ネジ
１０ｃ、１０ｄ    ローラ調整用長孔
１２              ブラケット
１４              スライドレール
１８              ローラブラケット
２０              線状ブロック
２１              点状ブロック
【図１】
2015169966.tif 000003
【図２】
2015169966.tif 000004
【図３】
2015169966.tif 000005
【図４】
2015169966.tif 000006
【図５】
2015169966.tif 000007
【図６】
2015169966.tif 000008
【図７】
2015169966.tif 000009
【図８】
2015169966.tif 000010
【図９】
2015169966.tif 000011
【図１０】
2015169966.tif 000012